(57)【要約】【課題】車室内で芳香効果を発生させることができ、効果的に搭乗者の気分向上、及び改善を補助することができる車載オーディオ装置を提供する。【解決手段】オーディオ回路を構成する複数の電子部品のうちの発熱部品１０７の放熱を行うためのヒートシンク１０８に接触するように、一定の熱が加えられた時に芳香効果を発生する芳香体１０９を内部に収容した収容器１１０を配置する。車載オーディオ装置１０１が動作すると発熱部品１０７が自己発熱した熱がヒートシンク１０８および収容器１１０を介して芳香体１０９に伝わり、芳香効果を得ることができる。【選択図】図４
2010228589.tif 000002
【特許請求の範囲】
【請求項１】
オーディオ回路を構成する複数の電子部品のひとつである発熱部品と、
前記発熱部品に接触して前記発熱部品が発生した熱を放熱する放熱器と、
前記放熱器に接触して前記放熱器が放熱した熱が熱伝導される収容器と、
前記収容器に収容された芳香体とを備えた車載オーディオ装置。
【請求項２】
前記オーディオ回路が配置される本体部と、
前記本体部に着脱可能に設けられ自装置を操作するための操作部と、
前記操作部と前記本体部とが着脱する前記本体部の面に設けられた挿排口と、
前記挿排口を開閉するシャッタとを有し、
前記シャッタを閉じたときに前記収容器と前記シャッタとが前記芳香体を密閉することを特徴とした請求項１に記載の車載オーディオ装置。
【請求項３】
前記放熱器は前記収容器を移動可能に保持する保持部を有し、
前記収容器は、前記操作部が離脱して前記シャッタが開いた状態において前記挿排口から取出し可能に配置されたことを特徴とする請求項２に記載の車載オーディオ装置。
【発明の詳細な説明】
【技術分野】
【０００１】
本発明は、車室内で芳香効果を発生し、搭乗者の気分向上や改善を補助する車載オーディオ装置に関するものである。
【背景技術】
【０００２】
従来の芳香発生装置として、芳香発生装置は、香料が含有された芳香体を加熱することにより、芳香体から香料を蒸散させて、芳香を発生させるためのものが知られている（例えば特許文献１参照）。
さらに、車載用芳香装置として、シガライタソケット及び端子部を介して車両から芳香装置に電力が供給され、その電力に基づいて、加熱手段は収容部を介して芳香剤を加熱芳香させるものが知られている（例えば特許文献２参照）。
【特許文献１】特開平１０−２６３０６６号公報
【特許文献２】特開２００２−１８６６６０号公報
【発明の開示】
【発明が解決しようとする課題】
【０００３】
しかしながら、上記の従来の装置では、限られた車室内に芳香装置を設置するための専用のスペースが必要となり、さらに、芳香剤を加熱するためにシガライタソケットのような専用の電源接続部品が必要であるという課題があった。
【０００４】
本発明は、車室内で芳香効果を発生させるために、既存の車載用オーディオとその熱源を利用することで、専用の部品、及び設置スペースを必要とせずに芳香効果を得ることができる車載オーディオ装置を提供することを目的とする。
【課題を解決するための手段】
【０００５】
本発明の車載オーディオ装置は、オーディオ回路を構成する複数の電子部品のひとつである発熱部品と、前記発熱部品に接触して前記発熱部品が発生した熱を放熱する放熱器と、前記放熱器に接触して前記放熱器が放熱した熱が熱伝導される収容器と、前記収容器に収容された芳香体とを備えた構成を有している。
【０００６】
ここで、発熱部品とは、比較的大きな値の電流が流入する半導体素子からなる電子部品であって、通電すると自己発熱し、オーディオ装置を動作させる際には部品の発熱部分に放熱器を接触させて動作させる必要がある電子部品を指す。
【０００７】
この構成により、既存の車載用オーディオが備える発熱部品が放出する熱を利用することができ、専用の部品および専用のスペースを必要とせずに車室内で芳香効果を発生させることができる。
【０００８】
また、本発明の車載オーディオ装置は、前記オーディオ回路が配置される本体部と、前記本体部に着脱可能に設けられ自装置を操作するための操作部と、前記操作部と前記本体部とが着脱する前記本体部の面に設けられた挿排口と、前記挿排口を開閉するシャッタとを有し、前記シャッタを閉じたときに前記収容器と前記シャッタとが前記芳香体を密閉する構成を有している。
【０００９】
この構成により、シャッタの開閉をユーザーが調整することで、芳香の拡散量を調整することができる。
【００１０】
また、本発明の車載オーディオ装置は、前記放熱器は前記収容器を移動可能に保持する保持部を有し、前記収容器は、前記操作部が離脱して前記シャッタが開いた状態において前記挿排口から取出し可能に配置された構成を有している。
【００１１】
この構成により、車載オーディオ装置の内部に配置された芳香体の交換を容易に行うことができ、使用者の好みに合わせた芳香作用を発生させることができる。
【発明の効果】
【００１２】
本発明によれば、既存の車載用オーディオ装置を利用することで、芳香発生装置専用の電源、及び設置スペースを必要とすることなく車室内で芳香効果を発生させることができ、効果的に搭乗者の気分向上、及び改善を補助することができる。
【発明を実施するための最良の形態】
【００１３】
以下、本発明の実施の形態に係る車載オーディオ装置について、図面を用いて詳細に説明する。
【００１４】
図１は、本発明の実施の形態における車載オーディオ装置の外観図である。図１に示すとおり、車載オーディオ装置１０１はその前面に操作部１０２が配置され、その奥側に設けられた本体部１０３を有している。すなわち、車載オーディオ装置１は所謂デタッチャブル構造を有していて、車載オーディオ本体部１０３から操作部１０２を取り外すことができる。
【００１５】
図２は、本発明の実施の形態における車載オーディオ装置において操作部をはずした状態における構成を示す図である。図２に示すように、操作部１０２が本体部１０３に着脱可能な構成となっているが、例えば操作部１０２と本体部１０３とは図示していないコネクタなどにより、電気的に接続されている。
【００１６】
そして、図２に示すとおり、操作部１０２の背面側であり、本体部１０３の面のうちの操作部１０２と本体部１０３とが着脱する面に、後述する芳香体１０９が収容される収容器１１０を本体部１０３の内部へ挿入するための（あるいは内部に挿入された収容器１１０を外部へ排出するための）挿排口１１１と、この挿排口１１１を開閉するシャッタ１１２が設けられている。本実施の形態においては、シャッタ１１２はユーザの手動操作によって横方向に左右にスライド可能に設けられているが、上下にスライドして挿排口１１１を開閉するようにしても良く、また、電動で開閉するように構成しても良い。
【００１７】
図３は、本発明の実施の形態における車載オーディオ装置の内部構成図である。図３に示すように、本体部１０３の内部には、ラジオ受信機１０４やＣＤプレーヤ１０５が設けられ、それらの機能を制御するために設けられたマイコンや各種制御ＩＣなどの電子部品が取付けられた回路基板１０６が、車載オーディオ本体部１０３を取り囲む筐体１０３ａにビス止めや半田付けなどによってそれぞれ固定されている。
【００１８】
図４は、本発明の実施の形態における車載オーディオ装置の回路基板の構成を示す図である。
【００１９】
図４に示すように、回路基板１０６には、オーディオ回路としての、車載オーディオ装置１０１の全体を制御するためのマイコンやＩＣあるいはその周辺回路に用いる電子部品、さらにはラジオ受信機１０４が実装されているほか、ＣＤプレーヤ１０５や他の外部機器との電気接続のためのコネクタなども実装されている。
【００２０】
回路基板１０６には、上述の電子部品を用いて、ラジオやＣＤの音声出力の際に、ラジ
オ受信機１０４やＣＤプレーヤー１０５などの機能を制御する回路へ電源を供給するための電源回路や、ラジオやＣＤの音声を出力する際に増幅するための音声増幅回路などが構成されている。
【００２１】
電源回路や音声増幅回路に用いられる電子部品のひとつに、電源回路や音声増幅回路の性質上、比較的大きな値の電流が流入する半導体素子からなり、通電すると自己発熱する、いわゆる発熱部品１０７がある。この発熱部品１０７を用いて車載オーディオ装置１０１を動作させる際には部品の発熱部分に放熱器としてのヒートシンク１０８を接触させて動作させる必要がある。そのため、図４に示すように発熱部品１０７から発生する熱を吸熱及び放熱するヒートシンク１０８は、半田付けやビス止めにより回路基板１０６に実装されている。
【００２２】
本実施の形態の車載オーディオ１０１は、車載オーディオ１０１を搭載する車両の車室内で芳香効果を発生させるために、芳香体１０９を車載オーディオ１０１の内部に交換可能に備えている。具体的には、例えばゲル状などのやわらかい固体からなる芳香体１０９が金属製の収容器１１０に収容され、発熱部品１０７が放出した熱がヒートシンク１０８を介して伝導されるようにヒートシンク１０８と収容器１１０とが接触した状態にて車載オーディオ装置１０１内部に配置されている。
【００２３】
以下に、図５および図６を用いて芳香体１０９、収容器１１０、ヒートシンク１０８の構造についてその詳細を説明する。図５は本発明の実施の形態における車載オーディオの芳香体の収容器の外観図である。図６は本発明の実施の形態における車載オーディオのヒートシンクの外観図である。
【００２４】
図５に示すように、本実施の形態において芳香体１０９は直方体の形状をしている。芳香体１０９は直方体の形状を保っているものの、ゲル状のやわらかい物質であるため、さらには、芳香体１０９に対して全体的に熱を加えるため、芳香体１０９の側面および図５の紙面に向かって奥側の面を覆うように金属性の材質からなる収容器１１０がその内部に芳香体１０９を収容する。ただし、詳細は後述するが芳香体１０９の交換のため、および芳香体１０９からの芳香効果（芳香の拡散）量を調整することができるように、収容器１１０を構成する面のうち、図５の紙面に向かって手前側の面は開いた状態になっている。
【００２５】
発熱部品１０７の放熱に用いられるヒートシンク１０８は、図６に示すように発熱部品１０７が取付けられる面とは反対の面に芳香体１０９を収容した収容器１１０が載置できるように保持部１０８ａが収容器１１０の底面と接触するように設けられ、さらに、ヒートシンク１０８は、収容器１１０を前後方向（図４において紙面に向かって垂直な方向）にスライド（移動）可能にガイドするために収容器１１０の側面と接触するガイド部１０８ｂが設けられている。すなわち、ヒートシンク１０８は直方体の収容器１１０の３面に接触するように断面コ字状に形成されて収容器１１０を保持している。
【００２６】
さらに、ヒートシンク１０８の保持部１０８ａは、次のように設定されている。すなわち、芳香体１０９を収容した収容器１１０がヒートシンク１０８に保持された状態において、収容器１１０が成す面のうち図５の紙面に向かって手前側の面と図２に示す挿排口１１１とが合致するように保持部１０８ａの高さ位置が設定されている。これにより、挿排口１１１が開いた状態において収容器１１０を車載オーディオ装置１０１の内部へ収容する、あるいは車載オーディオ装置１１０の内部から外部へ取り出すことが容易にできることとなる。
【００２７】
また、挿排口１１１は、図２に示すとおり、収容器１１０が成す面のうち図５の紙面に向かって手前側の面と同じ四角形の形状をしている。図７に示すとおり、この挿排口１１
１の四角形を成す４辺のうち、シャッタ１１２が移動して通過する１辺（図２において左側の側辺）を除いた３辺からは、収容器１１０を囲うように平面が延在している。
【００２８】
また、シャッタ１１２にもシャッタ１１２を閉めた状態において収容器１１０の左側の側面と接触する平面が設けられている。これにより、シャッタ１１２を完全に閉めた状態においては、収容器１１０の４つの側面の挿排口１１１付近がそれぞれの平面と接触したうえでシャッタ１１２が芳香体１０９を密閉することになるので、車載オーディオ装置１０１の本体部１０３の筐体１０３ａに設けられたＣＤ挿排口や他の放熱用の通気口などから芳香が拡散することがなくなる。
【００２９】
次に、本実施の形態の車載オーディオ装置１０１において、芳香体１０９を加熱し芳香効果を発生させる作用について説明する。
【００３０】
上述したとおり、回路基板１０６に実装された電子部品のうち、発熱部品１０７は、ラジオやＣＤなどの音声出力の際に、ラジオ受信機１０４やＣＤプレーヤー１０５などを制御する回路への電源生成や、音声の増幅をすることにより発熱する。
【００３１】
発熱部品１０７はヒートシンク１０８とビス止めされることなどによって互いに接触しており、発熱部品１０７から発生した熱は、熱伝導によりヒートシンク１０８に伝わり放熱されると共に、発熱部品１０７の熱を吸熱することで、ヒートシンク１０８は加熱されて熱を帯びた状態となる。
【００３２】
芳香体１０９は、例えば家庭用の芳香剤などの、一般的に使用されているゲル状のものを用いているが、固形粒子状の芳香体を用いてもよい。これらの芳香体１０９は、一定の熱が加えられた時に芳香効果を持つものである。
【００３３】
図５に示すように、芳香体１０９は、収容器１１０の内部と接触する形で収容されており、収容器１１０はヒートシンク１０８と接触している。したがって、ヒートシンク１０８が発熱部品１０７の発熱により熱を帯び、その熱が伝導されて収容器１１０も熱を帯びた際には、熱伝導により芳香体１０９も加熱される状態になる。
【００３４】
すなわち、収容器１１０は加熱されたヒートシンク１０８と接触することにより、熱伝導によって加熱された状態になる。加熱された収容体１１０内部に収容された芳香体１０９にも一定の熱が加わることで、芳香効果が発生することとなる。
【００３５】
次に、本実施の形態の車載オーディオ装置１０１の内部に配置された芳香体１０９が収容された収容器１１０の交換方法について説明する。
【００３６】
車載オーディオ装置１０１を構成する操作部１０２は、デタッチャブル構造となっており、操作部１０２と本体部１０３とが着脱可能な構成となっていて、使用者がＣＤのディスクを挿入する時に操作部１０２を離脱させる（はずす）ことにより車載オーディオ装置１０１の本体部１０３が使用者に向けて見える状態になる。
【００３７】
この状態において、車載オーディオ装置１０１の本体部１０３前面に設けられたシャッタ１２を左へ向けてスライドさせることで挿排口を開けて、使用者は挿入口１１１からヒートシンク１０８の保持部１０８ａに載置された収容器１１０をガイド部１０８ｂのレールにガイドされて収容器１１０を取り外すことが可能である。また、取り外した収容器１１０を本体部１０３の内部へ装着する際も、同様に挿排口１１１からガイド部１０８ｂを通じてヒートシンク１０８の保持部１０８ａに定置させることが可能である。
【００３８】
また、使用者はこの収容体挿入口１１１から、芳香作用の異なる香料を含んだ芳香体１０９を収容した収容器１１０を挿入することにより、使用者の要求に合わせて、芳香体１０９を自由に交換することができる。
【００３９】
次に、車載オーディオ装置１０１によって発熱部品１０７が自己発熱し、その熱がヒートシンク１０８および収容器１１０を介して収容器１１０の内部の芳香体１０９に伝導することで芳香体１０９に一定量の熱が加えられ、芳香体１０９が蒸散可能となった状態での、芳香効果の切り替えについて説明する。
【００４０】
芳香効果の切り替え、すなわち香料の蒸散量を切り替える手段として、上述したとおり、車載オーディオ装置１０１には、本体部１０３の筐体１０３ａに形成された挿入口１１１を開閉可能に設けられたシャッター１１２を有している。
【００４１】
使用者が車載用オーディオ装置１０１の操作部１０２を本体部１０３から離脱して、シャッタ１１２を開けることにより、芳香体１０９の香料が拡散する。この際、使用者がシャッタ１１２の開き度合いを調節して挿入口１１１の開閉量を調整することによって、香料の拡散量を調整し、車室内への芳香効果を調整することができる。
【００４２】
以上説明したとおり、本発明の実施の形態によれば、芳香体１０９が収容された収容器１１０を発熱部品１０７の放熱を行うヒートシンク１０８に接触させて配置することにより、車室内で芳香効果を発生させるための専用の部品、及び設置スペースを必要とせずに芳香効果を得ることができる車載オーディオ装置を提供することができる。
【産業上の利用可能性】
【００４３】
以上のように、本発明にかかる車載オーディオ装置は、芳香発生装置専用の電源、及び設置スペースを必要とすることなく車室内で芳香効果を発生させることができ、効果的に搭乗者の気分向上、及び改善を補助することができるという効果を有し、搭乗者の気分向上や改善を補助する車載オーディオ装置等として有用である。
【図面の簡単な説明】
【００４４】
【図１】本発明の実施の形態における車載オーディオ装置の外観図
【図２】本発明の実施の形態における車載オーディオ装置の操作部をはずした状態における構成図
【図３】本発明の実施の形態における車載オーディオ装置の内部構成を示す図
【図４】本発明の実施の形態における車載オーディオ装置の回路基板構成図
【図５】本発明の実施の形態における車載オーディオの芳香体を収容する収容器の外観図
【図６】本発明の実施の形態における車載オーディオのヒートシンクの外観図
【図７】本発明の実施の形態における車載オーディオ装置の挿排口の構成図
【符号の説明】
【００４５】
１０１  車載オーディオ装置
１０２  操作部
１０３  本体部
１０３ａ  筐体
１０４  ラジオ受信機
１０５  ＣＤプレイヤ
１０６  回路基板
１０７  発熱部品
１０８  ヒートシンク
１０８ａ  保持部
１０８ｂ  ガイド部
１０９  芳香体
１１０  収容器
１１１  挿排口
１１２  シャッタ
【図１】
2010228589.tif 000003
【図２】
2010228589.tif 000004
【図３】
2010228589.tif 000005
【図４】
2010228589.tif 000006
【図５】
2010228589.tif 000007
【図６】
2010228589.tif 000008
【図７】
2010228589.tif 000009